(57)【要約】      （修正有）【課題】乗員と側面車体部材との隙間の大きさに拘わらず、展開後のエアバッグの厚みと内圧を適切な状態に維持する。【解決手段】サイドドアと乗員との隙間の大きさにより、制御ベント２２が塞がれて内チャンバ１２の内部のガスが袋部２１に流れることなく、可変ベント１５から排出されてエアバッグ６の内圧が増加することが抑制される状態と、制御ベント２２から内チャンバ１２の内部のガスが袋部２１に流れて袋部２１が膨らみ、可変ベント１５からガスが排出され難くなってエアバッグ６が大きく膨らむ状態とに展開され、エアバッグの厚みと圧力が適正な状態に維持される。【選択図】図２
2017074850.tif 000002
【特許請求の範囲】
【請求項１】
車両の側面からの側面衝突時に乗員と側面車体部材との間にエアバッグが展開するサイドエアバッグ装置において、
前記エアバッグは、
当該エアバッグの外周面を形成し、乗員の側面の所望部位を覆う外チャンバと、
前記外チャンバの内側に配され、インフレーターからのガスが供給される内チャンバと、
前記内チャンバと前記外チャンバとを連通する内ベントと、
前記内チャンバに設けられ、前記内チャンバ内のガスを前記エアバッグの外部に排出する可変ベントと、
車幅方向の一側面、他側面の少なくとも一方の面における、前記外チャンバと前記内チャンバの間に設けられ、膨張することで前記可変ベントを圧縮する袋部と、
前記内チャンバの車幅方向の一側面、他側面の少なくとも一方の面に設けられ、前記内チャンバと前記袋部とを連通する制御ベントとを有する
ことを特徴とするサイドエアバッグ装置。
【請求項２】
請求項１に記載のサイドエアバッグ装置において、
前記袋部は、
前記内チャンバの基布と前記外チャンバの基布が周状に接合されて設けられる
ことを特徴とするサイドエアバッグ装置。
【請求項３】
請求項１もしくは請求項２に記載のサイドエアバッグ装置において、
前記可変ベントには、当該可変ベントの開口を縮径状態に維持し、前記内チャンバ内部の圧力が所定以上となった際に前記開口を開放する縮径部材が備えられている
ことを特徴とするサイドエアバッグ装置。
【請求項４】
請求項１から請求項３のいずれか一項に記載のサイドエアバッグ装置において、
前記内チャンバの内部には、
前記内チャンバの展開を規制する展開規制部材が備えられている
ことを特徴とするサイドエアバッグ装置。
【発明の詳細な説明】
【技術分野】
【０００１】
本発明は、車両のシート側方にエアバッグが展開されるサイドエアバッグ装置に関する。
【背景技術】
【０００２】
車両が側面衝突して側面衝突が検出されると、インフレーターからガスを噴出させ、乗員と側面車体部材（例えば、サイドドア）との間にエアバッグを展開膨張させるサイドエアバッグ装置が知られている。サイドエアバッグ装置により、シートに着座している乗員が保護される。乗員とサイドドアとの隙間は乗員の体格によって変わるが、エアバッグの大きさ（幅）は予め決められているため、乗員の体格によっては展開時のエアバッグ内の圧力に変化が生じ、乗員の保護性能（拘束性能）に影響を与える虞がある。
【０００３】
このため、従来から、乗員の体格に応じてエアバッグの展開の厚みを調整することができるエアバッグ装置が提案されている（例えば、特許文献１）。特許文献１は、メインのバッグとサブのバッグとを備え、大柄な体格の乗員を保護する場合には、メインのバッグのみを展開させ、小柄な体格の乗員を保護する場合には、メインとサブの両方のバッグを展開させる技術である。これにより、乗員の体格に拘わらず、乗員とサイドドアとの隙間に展開されるエアバッグ内の圧力がほぼ一定になり、乗員の保護性能（拘束性能）をより向上させることができる。
【０００４】
しかし、特許文献１のように、従来から提案されている技術では、体格を検出して展開を制御する必要があるため、部品点数が多くなると共に、制御が複雑になっていた。また、エアバッグが展開される時の乗員とサイドドアとの隙間は、衝突の速度によっても変化するが、この点は考慮されていなかったため、体格を検出して適切に制御した場合でも、衝突速度によっては、エアバッグ内の圧力が増加したり、逆に圧力が低下したりすることが考えられ、圧力を適切な状態に維持するにはさらなる改善の余地があった。
【先行技術文献】
【特許文献】
【０００５】
【特許文献１】特許第４９５２３２１号公報
【発明の概要】
【発明が解決しようとする課題】
【０００６】
本発明は上記状況に鑑みてなされたもので、乗員と側面車体部材との隙間の大きさに拘わらず、展開後のエアバッグの厚みと内圧を適切な状態に維持することができるサイドエアバッグ装置を提供することを目的とする。
【課題を解決するための手段】
【０００７】
上記目的を達成するための請求項１に係る本発明のサイドエアバッグ装置は、車両の側面からの側面衝突時に乗員と側面車体部材との間にエアバッグが展開するサイドエアバッグ装置において、前記エアバッグは、当該エアバッグの外周面を形成し、乗員の側面の所望部位を覆う外チャンバと、前記外チャンバの内側に配され、インフレーターからのガスが供給される内チャンバと、前記内チャンバと前記外チャンバとを連通する内ベントと、前記内チャンバに設けられ、前記内チャンバ内のガスを前記エアバッグの外部に排出する可変ベントと、車幅方向の一側面、他側面の少なくとも一方の面における、前記外チャンバと前記内チャンバの間に設けられ、膨張することで前記可変ベントを圧縮する袋部と、前記内チャンバの車幅方向の一側面、他側面の少なくとも一方の面に設けられ、前記内チャンバと前記袋部とを連通する制御ベントとを有することを特徴とする。
【０００８】
請求項１に係る本発明のサイドエアバッグ装置では、側面衝突時には、インフレーターから内チャンバの内部にガスが供給されて内チャンバが膨らみ、内ベントから外チャンバにガスが流れて外チャンバが膨らむ。そして、エアバッグ展開時の側面車体部材と乗員との隙間に応じて袋部の展開が制御され、エアバッグ外部へのガス排出量が調整される。
【０００９】
側面車体部材と乗員との隙間が狭い場合、エアバッグの展開幅が規制されるため、袋部がつぶされた状態になって制御ベントが基布によって塞がれ、内チャンバの内部のガスは袋部内に流れることなく、可変ベントから排出される。これにより、例えば、衝突速度が比較的高い場合など、側面車体部材と乗員との隙間が狭くなった状況でも、展開後のエアバッグの内圧が増加することが抑制され、エアバッグの幅方向の厚みと内圧が適切な状態に維持される。
【００１０】
側面車体部材と乗員との隙間が広い場合、内チャンバと外チャンバの間に隙間ができて制御ベントが機能して内チャンバの内部のガスが袋部内に流れて袋部が膨らむ。袋部が膨らむことで内チャンバの可変ベントの部位が内側に圧縮され、可変ベントの開口が縮まって可変ベントからガスが排出され難くなる。これにより、例えば、衝突速度が比較的低い場合など、側面車体部材と乗員との隙間が広くなった状況では、ガスの排出量が抑えられてエアバッグが大きく膨らむので、エアバッグの幅方向の厚みと内圧が適切な状態に維持される。
【００１１】
従って、体格検知センサー（特別なセンサー）や制御部材等を設けて乗員の体格を検出したり、衝突速度を検出したりすることなく、乗員と側面車体部材との隙間に応じてエアバッグの内圧を制御することができる。この結果、乗員と側面車体部材との隙間の大きさに拘わらず、展開後のエアバッグの厚みと内圧を適切な状態に維持することが可能になる。
【００１２】
そして、請求項２に係る本発明のサイドエアバッグ装置は、請求項１に記載のサイドエアバッグ装置において、前記袋部は、前記内チャンバの基布と前記外チャンバの基布が周状に接合されて設けられることを特徴とする。
【００１３】
請求項２に係る本発明では、内チャンバの基布と外チャンバの基布を周状に接合することで袋部を設けているので、袋部を別部材とすることなく一体に設けることができる。周状に接合する場合、基布同士を縫製により接合することが好ましい。また、接着剤等により基布同士を貼り付けることで周状に接合することも可能である。
【００１４】
また、請求項３に係る本発明のサイドエアバッグ装置は、請求項１もしくは請求項２に記載のサイドエアバッグ装置において、前記可変ベントには、当該可変ベントの開口を縮径状態に維持し、前記内チャンバ内部の圧力が所定以上となった際に前記開口を開放する縮径部材が備えられているえられていることを特徴とする。
【００１５】
請求項３に係る本発明では、縮径部材により可変ベントの開口が縮径維持されているので、側面車体部材と乗員との隙間が広い場合に、可変ベントからのガスの排出が抑制されるため、袋部内にガスを確実に流入させてより確実に袋部を膨らませることができる。一方、側面車体部材と乗員との隙間が狭い場合に、内チャンバの圧力が所定より高くなると、縮径部材に抗して開口が広がりガスが適切に排出される。
【００１６】
縮径部材としては、可変ベントの開口を縮径方向に付勢するゴムひもを用いたり、排出されるガスが所定の圧力になるまで可変ベントの開口を縮径方向に維持するように縫製する（仮縫い）構成にしたりすることができる。
【００１７】
また、請求項４に係る本発明のサイドエアバッグ装置は、請求項１から請求項３のいずれか一項に記載のサイドエアバッグ装置において、前記内チャンバの内部には、前記内チャンバの展開を規制する展開規制部材が備えられていることを特徴とする。
【００１８】
請求項４に係る本発明では、展開規制部材により内チャンバの展開が規制されているので、側面車体部材と乗員との間が広い場合に、内チャンバと外チャンバの間の隙間をより確実に確保して制御ベントを機能させることができ、袋部をより確実に膨らませることができる。
【発明の効果】
【００１９】
本発明のサイドエアバッグ装置は、特別なセンサーや制御部材を設けて乗員の体格を検出したり、衝突速度を検出したりすることなく、乗員と側面車体部材との隙間に応じてエアバッグの内圧を制御することができるので、乗員と側面車体部材との隙間の大きさに拘わらず、展開後のエアバッグの厚みと内圧を適切な状態に維持することが可能になる。
【図面の簡単な説明】
【００２０】
【図１】本発明の一実施例に係るサイドエアバッグ装置を備えたシートの側面図である。
【図２】本発明の一実施例に係るサイドエアバッグ装置のエアバッグの側面図である。
【図３】エアバッグの断面図である。
【図４】外チャンバと内チャンバの側面図である。
【図５】サイドドアと乗員との隙間が狭い場合と広い場合のエアバッグの状態の説明図である。
【図６】ガスの噴出状況の説明図である。
【図７】ガスの噴出状況の説明図である。
【図８】展開規制部材を備えたエアバッグのガスの噴出状況の説明図である。
【図９】展開規制部材を備えたエアバッグのガスの噴出状況の説明図である。
【図１０】可変ベントに縮径部材を備えたエアバッグのガスの噴出状況の説明図である。
【図１１】可変ベントに縮径部材を備えたエアバッグのガスの噴出状況の説明図である。
【発明を実施するための形態】
【００２１】
図１から図４に基づいて本発明の一実施例に係るサイドエアバッグ装置の構成を説明する。
【００２２】
図１には本発明の一実施例に係るサイドエアバッグ装置を備えたシート（エアバッグ展開）の側面視、図２には展開状態にあるエアバッグの外観を説明する側面視、図３（ａ）には図２中のIII-III線矢視、図３（ｂ）には可変ベントの部位の縦断面視、図４（ａ）には外チャンバの外観状況を表す側面視、図４（ｂ）には内チャンバの外観状況を表す側面視を示してある。
【００２３】
図１に示すように、車両用シート１のシートバック２のサイドドア３側（側面車体部材側）にはサイドエアバッグ装置４が備えられている。サイドエアバッグ装置４は、側面衝突時に乗員５とサイドドア３との間に展開するエアバッグ６が備えられ、エアバッグ６には内部にガスを噴出させるインフレーター７が備えられている。エアバッグ６は、エアバッグ６の外周面を形成し、乗員５の所望の部位を覆う形状の外チャンバ１１と、インフレーター７が保持され、外チャンバ１１の内側に配される内チャンバ１２とで構成されている。
【００２４】
外チャンバ１１は、図２、図４（ａ）に示すように、エアバッグ６の外観をなし、乗員５（図１参照）の側面部位を覆う形状とされている。外チャンバ１１の下方の車両の前側には穴１３が形成されている。また、外チャンバ１１には外部に連通する外部ベント１４が設けられている。
【００２５】
内チャンバは、図２、図４（ｂ）に示すように、外チャンバ１１の内部に配されている。内チャンバ１２は、側面視において、車両の下方側と後方側の辺が外チャンバ１１の車両の下方側と後方側に接するように設けられている。内チャンバ１２の下方の車両の前方側には、内チャンバ１２内のガスをエアバッグ６（外チャンバ１１）の外部に排出するための可変ベント１５が形成されている。可変ベント１５は外チャンバ１１の穴１３の内側の部位で穴１３から外部に露出するように形成されている。また、内チャンバ１２には外チャンバ１１の内側に連通する（内チャンバ１２と外チャンバ１１を連通する）内ベント１６が設けられている。
【００２６】
図２、図３（ａ）に示すように、内チャンバ１２は、車両の下方側の一辺と後方側の一辺が外チャンバ１１に縫合され、外チャンバ１１と内チャンバ１２にわたり縫い目１７が形成されている。また、図２、図３（ｂ）に示すように、内チャンバ１２の可変ベント１５の周囲は、外チャンバ１１の穴１３に縫合されて縫い目１８が形成されている。図２に示すように、内チャンバ１２の車両の後方側の一辺の縫い目１７の内側には、インフレーター７が取り付けられている。
【００２７】
そして、図２、図３（ａ）に示すように、外チャンバ１１と内チャンバ１２の間における車幅方向の一側面、及び、他側面（両側面）には、可変ベント１５の近傍に配される袋部２１設けられている。即ち、内チャンバ１２の車両の下方側の一辺の縫い目１７、可変ベント１５の周囲の縫い目１８と共に、外チャンバ１１と内チャンバ１２の車幅方向の両側面の基布が周状に縫合されて（接合されて）縫い目１９が形成され、袋部２１とされている。袋部２１は、内チャンバ１２の幅方向左右両側に一対で形成され、袋部２１に対応する部位の内チャンバ１２の車幅方向の一側面、及び、他側面（両側面）には、内チャンバ１２と袋部２１を連通する制御ベント２２が形成されている。
【００２８】
袋部２１は、制御ベント２２からガスが流れ込むことで膨張し、内チャンバ１２の可変ベント１５の部位を左右両側から挟み込んで圧縮する（開口を狭くする）よう構成されている。また、制御ベント２２は、サイドドア３と乗員５との隙間の幅が狭い場合、つまりエアバッグ６が所定以上幅方向へ膨張できない場合は、外チャンバ１１の基布によって塞がれるよう構成されている。
【００２９】
尚、上述した実施例では、外チャンバ１１と内チャンバ１２の基布を周状に縫合して（接合して）袋部２１を形成したので、袋部２１を別部材とすることなく一体に設けることができる。周状に接合する場合、基布同士を縫製により接合することに代えて、接着剤等により基布同士を貼り付けることも可能である。また、外チャンバ１１と内チャンバ１２の基布を周状に縫合することに代えて、袋状の部材を配することも可能である。
【００３０】
上記構成のサイドエアバッグ装置４では、側面衝突時には、インフレーター７から内チャンバ１２の内部にガスが供給されて内チャンバ１２が膨らみ、内ベント１６から外チャンバ１１の内部にガスが流れ、外チャンバ１１が膨らむことで、エアバッグ６が展開される。しかも、エアバッグ６は、展開時のサイドドア３と乗員５との隙間の幅に応じて、可変ベント１５の開口が可変されることでエアバッグ６の展開状態が変化される。
【００３１】
以下にエアバッグ６の展開状態とその作用効果について詳細に説明する。
【００３２】
まず、図５、図６に基づいてサイドドア３と乗員５との隙間が狭い場合（所定幅よりも狭い幅ｈの場合）のエアバッグ６の展開状態を説明する。
【００３３】
図５（ａ）には、サイドドア３と乗員５との隙間が狭い場合のエアバッグ６の展開状態、図６（ａ）にはサイドドア３と乗員５との隙間が狭い状態でのガスの噴出状況を説明するエアバッグ６の側面視状態、図６（ｂ）にはサイドドア３と乗員５との隙間が狭い状態でのガスの噴出状況を説明するエアバッグ６の平断面視状態を示してある。
【００３４】
図５（ａ）に示すように、エアバッグ６展開時のサイドドア３と乗員５との隙間の幅ｈが狭い状態では、エアバッグ６の幅方向への展開（膨張）が抑制され体積が小さくなる。
【００３５】
図５（ａ）、図６に示すように、サイドドア３と乗員５との隙間の幅ｈが所定幅より狭くなると、内チャンバ１２の内部にガスが噴出されても、エアバッグ６の幅方向への展開（膨張）が規制されるので外チャンバ１１と内チャンバ１２の基布が密着して袋部２１がつぶされた状態になり、制御ベント２２が外チャンバ１１の基布によって塞がれる。制御ベント２２が塞がれているため、内チャンバ１２の内部のガスは袋部２１に流れることなく、内ベント１６から外チャンバ１１の内部に流れると共に、可変ベント１５から排出される。
【００３６】
これにより、例えば、側面衝突の衝突速度が比較的高い場合など、サイドドア３と乗員５との隙間の幅ｈが所定幅より狭くなった状況でも、エアバッグ６の内圧が増加することが抑制され、適切な状態に維持される。
【００３７】
次に、図５、図７に基づいてサイドドア３と乗員５との隙間が広い場合（所定幅以上の幅の場合）のエアバッグ６の展開状態を説明する。
【００３８】
図５（ｂ）にはサイドドア３と乗員５との隙間が広い場合のエアバッグ６の展開状態、図７（ａ）にはサイドドア３と乗員５との隙間が広い状態でのガスの噴出状況を説明するエアバッグ６の側面視状態、図７（ｂ）にはサイドドア３と乗員５との隙間が広い状態でのガスの噴出状況を説明するエアバッグ６の平断面視状態を示してある。
【００３９】
図５（ｂ）に示すように、エアバッグ６展開時のサイドドア３と乗員５との隙間の幅Ｈが広い状態では、エアバッグ６が幅方向に膨らみ体積が大きくなる。
【００４０】
図５（ｂ）、図７に示すように、サイドドア３と乗員５との隙間の幅Ｈが所定幅以上に広くなると、内チャンバ１２の内部にガスが噴出された際に、内チャンバ１２と外チャンバ１１の間に隙間ができて制御ベント２２が機能する。制御ベント２２が機能するため、内チャンバ１２の内部のガスは制御ベント２２から袋部２１の内部に流れ、同時に、内ベント１６から外チャンバ１１の内部に流れる。袋部２１が膨らむことで内チャンバ１２の可変ベント１５の部位が内側に圧縮され、可変ベント１５の開口が狭められて可変ベント１５からガスが排出され難くなる。
【００４１】
これにより、例えば、側面衝突の衝突速度が比較的低い場合など、サイドドア３と乗員５との隙間の幅Ｈが所定幅以上に広くなった状況でも、エアバッグ６の幅方向の厚みが確保されて内圧が適切な状態に維持される。
【００４２】
従って、体格検知センサーや制御部材等を設けて乗員５の体格を検出したり、側面衝突の衝突速度を検出したりすることなく、隙間の幅に合わせてエアバッグ６の内圧、即ち、エアバッグ内のガスの排出状態を制御することができる。この結果、乗員５とサイドドア３との隙間の大きさに拘わらず、展開後のエアバッグ６の厚みと内圧を適切な状態に維持することが可能になる。
【００４３】
図８、図９に基づいて展開規制部材を備えた実施例を説明する。尚、図１から図７に示した部材と同一部材には同一の符号を付してある。
【００４４】
図８（ａ）、図９（ａ）には展開規制部材を備えたエアバッグの側面視状態、図８（ｂ）、図９（ｂ）には展開規制部材を備えたエアバッグの平断面視状態を示してあり、図８はサイドドア３と乗員５との隙間が狭い状態で、図９はサイドドア３と乗員５との隙間が広い状態である。
【００４５】
図に示すように、内チャンバ１２の内側には、幅方向の膨らみを規制する展開規制部材としての布状とされたひも材２５（テザー）が設けられている。ひも材２５は、内チャンバ１２の基布の内側同士に亘り設けられている。
【００４６】
図８（ａ）（ｂ）に示すように、サイドドア３と乗員５との隙間の幅ｈが狭い場合、エアバッグ６の幅方向への展開（膨張）が規制されるので外チャンバ１１と内チャンバ１２の基布が密着して袋部２１がつぶされた状態になり、制御ベント２２が外チャンバ１１の基布によって塞がれる。これにより、内チャンバ１２の内部のガスは袋部２１に流れることなく、内ベント１６から外チャンバ１１の内部に流れると共に、可変ベント１５から排出される。
【００４７】
図９（ａ）（ｂ）に示すように、サイドドア３と乗員５との隙間の幅Ｈが広い場合、内チャンバ１２の幅がひも材２５で規制され、内チャンバ１２と外チャンバ１１の間の隙間が確保される。これにより、制御ベント２２をより確実に機能させることができ、内チャンバ１２の内部のガスを袋部２１により確実に流すことができる。即ち、袋部２１をより確実に膨らませることができる。
【００４８】
上述した例では、ひも材２５を設けて内チャンバ１２の幅方向での展開を規制したので、サイドドア３と乗員５との隙間の幅Ｈが広い場合、内チャンバ１２と外チャンバ１１の間の隙間がより確実に確保され、袋部２１をより確実に膨らませることができる。
【００４９】
図１０、図１１に基づいて可変ベントに縮径部材を備えた実施例を説明する。尚、図１から図７に示した部材と同一部材には同一の符号を付してある。
【００５０】
図１０（ａ）、図１１（ａ）には可変ベントに縮径部材を備えたエアバッグの側面視状態、図１０（ｂ）、図１１（ｂ）には可変ベントに縮径部材を備えたエアバッグの平断面視状態を示してあり、図１０はサイドドア３と乗員５との隙間が狭い状態で、図１１はサイドドア３と乗員５との隙間が広い状態である。
【００５１】
図に示すように、内チャンバ１２の可変ベント１５の後方側には、可変ベント１５の開口を縮径維持する縮径部材としての円環状のゴムひも２６が設けられている。そして、可変ベント１５は、ゴムひも２６により開口が常時縮められて閉じた状態になっており、内チャンバ１２の内部のガスの圧力が所定以上となるとゴムひも２６が伸びて開口が開放されるよう構成されている。
【００５２】
図１０（ａ）（ｂ）に示すように、サイドドア３と乗員５との隙間の幅ｈが狭い場合、内チャンバ１２の内部のガスが袋部２１に流れず、内チャンバ１２内のガスの圧力が所定以上となるとゴムひも２６の付勢力に抗して可変ベント１５の開口が押し広げられて開放される。これにより、内チャンバ１２からガスが排出され圧力が高くなることが抑制される。
【００５３】
図１１（ａ）（ｂ）に示すように、サイドドア３と乗員５との隙間の幅Ｈが広くなる場合、内チャンバ１２と外チャンバ１１の間に隙間ができて袋部２１が膨らみ、内チャンバ１２の可変ベント１５の部位が内側に圧縮されるが、可変ベント１５の開口はゴムひも２６により閉じられているため、可変ベント１５からのガスの排出がより確実に抑制される。これにより、制御ベント２２を介して内チャンバ１２の内部のガスを袋部２１により確実に流すことができる。即ち、袋部２１をより確実に膨らませることができる。
【００５４】
尚、縮径部材としては、ゴムひも２６に代えて、排出されるガスが所定の圧力になるまで可変ベント１５の開口を縮径状態に維持するように縫製された仮縫い部材とすることも可能である。
【産業上の利用可能性】
【００５５】
本発明は、車両のシート側方にエアバッグが展開されるサイドエアバッグ装置の産業分野で利用することができる。
【符号の説明】
【００５６】
１  車両用シート
２  シートバック
３  サイドドア
４  サイドエアバッグ装置
５  乗員
６  エアバッグ
７  インフレーター
１１  外チャンバ
１２  内チャンバ
１３  穴
１４  外部ベント
１５  可変ベント
１６  内ベント
１７、１８、１９  縫い目
２１  袋部
２２  制御ベント
２５  ひも材
２６  ゴムひも
【図１】
2017074850.tif 000003
【図２】
2017074850.tif 000004
【図３】
2017074850.tif 000005
【図４】
2017074850.tif 000006
【図５】
2017074850.tif 000007
【図６】
2017074850.tif 000008
【図７】
2017074850.tif 000009
【図８】
2017074850.tif 000010
【図９】
2017074850.tif 000011
【図１０】
2017074850.tif 000012
【図１１】
2017074850.tif 000013